(57)【要約】【課題】各商品見本を均一に照明できるとともに、各商品見本の視認性が高く、かつ簡単な構造でもって安価に製造することができる自動販売機用照明器具を提供する。【解決手段】縦横に配列された複数の商品見本６に対して近接配置された平面状の拡散パネル２２と、この拡散パネル２２の商品見本６の配置側と反対側の裏面に対向して配置された平面状の反射シート２３と、拡散パネル２２および反射シート２３の両一側端側に配置された光源２１とを有し、反射シート２３は拡散パネル２２との距離が光源２１から離れるのに従って漸減するように傾斜されている。【選択図】図３
2009282725.tif 000002
【特許請求の範囲】
【請求項１】
縦横に配列された複数の商品見本に対して近接配置された平面状の拡散パネルと、この拡散パネルの前記商品見本の配置側と反対側の裏面に対向して配置された平面状の反射シートと、前記拡散パネルおよび反射シートの両一側端側に配置された光源とを有し、前記反射シートは、前記拡散パネルとの距離が光源から離れるのに従って漸減するように傾斜されていることを特徴とする自動販売機用照明器具。
【請求項２】
前記反射シートは、その反射率が前記光源から離れるのに従って次第に大きくなるように形成されていることを特徴とする請求項１に記載の自動販売機用照明器具。
【請求項３】
前記拡散パネルには、少なくとも商品見本を上下に区画する箇所に反射部材が設けられていることを特徴とする請求項１または請求項２に記載の自動販売機用照明器具。
【請求項４】
前記反射部材は、前記拡散パネルの前記商品見本の配置側の外表面に設けられていることを特徴とする請求項３に記載の自動販売機用照明器具。
【発明の詳細な説明】
【技術分野】
【０００１】
本発明は、自動販売機用照明器具に係り、特には販売機本体の前面に設けられた展示スペース内に縦横に配列された商品見本をその裏側から照明して視認性を高めるための技術に関する。
【背景技術】
【０００２】
一般に、自動販売機は、略箱型状の販売機本体の前面に、商品の補充、入れ替え等の際に開閉される主扉を設け、この主扉の上部に透明カバーパネルを設け、この透明カバーパネルの内側に展示スペースが形成され、この展示スペース内に所定間隔を存して縦横に複数の商品見本が配列されている。
【０００３】
このような、自動販売機においては、夜間や日陰に設置された場合でも各商品見本が十分に視認できるように、各商品見本を照明するための光源が設けられている。この場合の光源としては、従来、蛍光灯が広く使用されているが、蛍光灯は長寿命化やメンテナンスの面で不十分である。
【０００４】
そのため、従来技術では、光源として多数のＬＥＤ（発光ダイオード）を所定ピッチでアレー状に配置してユニット化してなるＬＥＤランプを使用し、商品見本の裏側には、微小な凸部からなる反射ドットを多数形成した導光板を配置し、この導光板の一側端面に上記のＬＥＤランプを対向配置し、ＬＥＤランプからの光を導光板に導入した後、導光板の反射ドットで反射させて各商品見本を照明するようにしたものが提案されている（例えば、下記の特許文献１参照）。
【０００５】
また、他の従来技術では、展示スペース内に配置された商品見本ごとにＬＥＤおよび凹面状の反射鏡を設け、商品見本を集中して均一に照明するようにしたものが提案されている（例えば、下記の特許文献２参照）。
【特許文献１】特開２００７−２５９９０号公報
【特許文献２】特許２００４−１６４２５０号公報
【発明の開示】
【発明が解決しようとする課題】
【０００６】
しかしながら、前者の特許文献１記載の従来技術では、ＬＥＤランプからの光を導入して商品見本を照明するための導光板を使用しているが、この導光板は、ガラス製やアクリル樹脂等のプラスチック製の透明部材を適用するので、導光板自体が重くて自動販売機全体の重量が増加するだけでなく、導光板の背面側に微小な凸部からなる反射ドットを多数形成する必要があるために導光板の加工に手間がかかり、かつ高価なものになる。しかも、展示スペース内を全般的に照明することになるために、商品見本が配置されていない部分も同時に照明されて明るくなり、商品見本の視認性が不十分になるという問題がある。
【０００７】
また、後者の特許文献２記載の従来技術では、商品見本ごとにＬＥＤおよび反射鏡を設けているので、商品見本を集中して均一に照明することができて視認性を高めることができるものの、各商品見本に対してＬＥＤおよび反射鏡を個別に設ける必要があるため、構造が全体的に複雑化し、高価なものになるという問題がある。
【０００８】
本発明は、上記の課題を解決するためになされたもので、個々の商品見本を均一に照明するとともに、各商品見本の視認性を高めることができ、しかも、簡単な構造でもって安価に製造することができる自動販売機用照明器具を提供することを目的とする。
【課題を解決するための手段】
【０００９】
上記目的を達成するために、請求項１記載の発明に係る自動販売機用照明器具は、縦横に配列された複数の商品見本に対して近接配置された平面状の拡散パネルと、この拡散パネルの前記商品見本の配置側と反対側の裏面に対向して配置された平面状の反射シートと、前記拡散パネルおよび反射シートの両一側端側に配置された光源とを有し、前記反射シートは、前記拡散パネルとの距離が光源から離れるのに従って漸減するように傾斜されていることを特徴としている。
【００１０】
また、請求項２記載の発明に係る自動販売機用照明器具は、請求項１記載の発明の構成において、前記反射シートは、その反射率が前記光源から離れるのに従って次第に大きくなるように形成されていることを特徴としている。
【００１１】
また、請求項３記載の発明に係る自動販売機用照明器具は、請求項１または請求項２に記載の発明の構成において、前記拡散パネルには、少なくとも商品見本を上下に区画する箇所に反射部材が設けられていることを特徴としている。
【００１２】
請求項４記載の発明に係る自動販売機用照明器具は、請求項３記載の発明の構成において、前記反射部材は、前記拡散パネルの前記商品見本の配置側の外表面に設けられていることを特徴としている。
【発明の効果】
【００１３】
本発明によれば、光源からの光は直接に拡散パネルを透過して商品見本に照射されるとともに、反射シートで反射された後、拡散パネルを透過して商品見本に照射される。その場合、反射シートは拡散パネルとの距離が光源から離れるのに従って漸減するように傾斜されているので、光源から離れるほど反射シートによる光の反射量が増加する。これにより、光源からの距離に関係なく、個々の商品見本を均一に照明することができる。しかも、照明器具は光源、反射シート、拡散パネルを備えただけの簡単な構造であるため、安価に製造することが可能となる。また、照明器具自体が軽量薄型になり、商品収納スペースを確保することが容易になる。
【００１４】
特に、請求項２記載の発明では、反射シートの反射率が光源から離れるのに従って次第に大きくなるように形成されているので、さらに均一な発光面が得られ、個々の商品見本をより一層均一に照明することができる。
【００１５】
また、請求項３記載の発明では、拡散パネルには、少なくとも商品見本を上下に区画する箇所に反射部材が設けられているので、展示スペース内を全般的に照明するのではなく、商品見本を集中的に照明することになる。このため、商品見本の配列箇所とそれ以外の箇所とのコントラストが明確になり、各商品見本の視認性が高くなる。
【００１６】
また、請求項４記載の発明では、反射部材が拡散パネルの前記商品見本の配置側の外表面に設けられているので、拡散パネル内を導光する光が商品見本が配置されていない部分に漏れ出て明るくなることが回避される。その結果、商品見本をさらに集中的に照明でき、各商品見本の視認性を一層高めることができる。
【発明を実施するための最良の形態】
【００１７】
以下、本発明の実施の形態について、図面を参照して詳細に説明する。図１は本発明の自動販売機用照明器具が適用された自動販売機の正面図、図２は同自動販売機の照明器具の部分を拡大して示す正面図、図３は図２のＡ−Ａ線に沿った断面図である。
【００１８】
この実施の形態において、自動販売機１は、略箱型状の販売機本体２の前面に、商品の補充や入れ替え等の際に開閉される主扉３が設けられ、この主扉３の上部前面に透明カバーパネル４が設けられている。そして、この透明カバーパネル４の内側に展示スペース５が形成され、この展示スペース５内には縦横に複数の商品見本６が配列されている。すなわち、展示スペース５内には商品見本６が所定間隔を存して複数横並びに配列された状態で上下複数段にわたって設けられている。ここに、各商品見本６は、商品形状を模して成形された光透過性材料からできたもので、その表面に銘柄が表示されている。
【００１９】
各々の商品見本６の下端側には、商品選択押ボタン７が個別に設けられ、また、主扉３の透明カバーパネル４よりも下方には硬貨投入口８や紙幣投入口９、釣銭返却口１０が設けられ、さらにその下方には商品取出口１１が設けられている。
【００２０】
また、商品見本６の裏側には照明器具２０が設けられている。この照明器具２０は、光源２１、拡散パネル２２、反射シート２３、および反射部材２４を備え、この照明器具２０が前方が開口した略箱型のケース２６とこのケース２６の前方側を覆う上記の透明カバーパネル４とからなる筐体２７内に収納されている。この場合、ケース２６の透明カバーパネル４と対向する背面部分は、透明カバーパネル４側に向けて傾斜して形成されている。
【００２１】
上記の光源２１は、筐体２７内において拡散パネル２２および反射シート２３の上側端側よりも若干上方に離間した位置に配置されている。この光源２１は、筐体２７の幅方向に沿って延びる回路基盤２１ａ上に多数のＬＥＤ２１ｂを所定ピッチでアレー状に配置してユニット化してなるＬＥＤランプから構成されている。
【００２２】
拡散パネル２２は、商品見本６に近接して配置されており、この拡散パネル２２は、例えばアクリル樹脂等のプラスチック製の平板の表面にサンドブラスト等の処理によって微細な凹凸を形成して構成されている。
【００２３】
反射シート２３は、ケース２６内の拡散パネル２２と対向する背面、および左右の側端面にそれぞれ設けられている。したがって、拡散パネル２２と対向する位置にある背面側の反射シート２３は、拡散パネル２２との距離が光源２１から離れるのに従って漸減するように傾斜している。そして、この反射シート２３は、例えば、アクリル樹脂等のプラスチック製のシートに白色塗料を塗布したものをケース２６の内面に貼付、あるいはアルミ箔をケース２６の内面に貼付、または、ケース２６の内面に直接アルミ蒸着を施すなどして構成されている。
【００２４】
さらに、上記の拡散パネル２２には、商品見本を上下に区画する箇所で、かつ、商品見本６の配置側の外表面に、筐体２７の幅方向に沿って延びる帯状の反射部材２４が接合されている。そして、これらの各反射部材２４は、例えばアクリル樹脂等のプラスチック製の薄肉のシートに白色塗料を塗布したり、アルミ箔を貼付するなどして構成されている。
【００２５】
上記構成の照明器具２０において、光源２１からの光は直接に拡散パネル２２を透過して商品見本６に照射されるとともに、反射シート２３の内面で反射された後、拡散パネル２２を透過して商品見本６に照射される。その場合、反射シート２３は拡散パネル２２との距離が光源２１から離れるのに従って漸減するように傾斜されているので、光源２１から離れるほど反射シート２３による光の反射量が増加する。これにより、光源２１からの距離に関係なく、個々の商品見本６を均一に照明することができる。
【００２６】
また、拡散パネル２２には、商品見本６を上下に区画する箇所に反射部材２４が接合され、しかも、これらの反射部材２４は拡散パネル２２の外表面に設けられているので、拡散パネル２２を透過した光は、これらの反射部材２４で内方に向けて反射され、また、拡散パネル２２内を導光する光もこの反射部材２４で反射される。このため、商品見本６が配置されていない部分に余分に光が漏れ出て明るくなることが回避される。これにより、展示スペース５内を全般的に照明するのではなく、商品見本６を集中的に照明することができ、商品見本６の配列箇所とそれ以外の箇所とのコントラストが明瞭になり、各商品見本６の視認性を一層高めることができる。
【００２７】
また、この照明器具２０は、筐体２７内に光源２１、反射シート２３、拡散パネル２２を設けただけの簡単な構造であるため、安価に製造することが可能となる。さらに、照明器具２０自体が軽量薄型になるとともに、筐体２７の裏側下方に商品収納スペースを容易に確保することが可能となる。
【００２８】
なお、拡散パネル２２と対向する位置にある反射シート２３については、その反射率が光源２１から離れるのに従って次第に大きくなるように形成することが各商品見本６を均一照明する上で一層好ましい。
【００２９】
一例として、図４に示すように、反射シート２３の反射率を、光源２１から離れるのに従って、低反射率の部分２３ｃ、中反射率の部分２３ｂ、高反射率の部分２３ａの３段階に変化させることができる。この場合の各部２３ａ〜２３ｃの反射率の調整は、例えば、図５に示すように、白色塗料を塗布して円形のドットパターン２９を多数形成することにより反射面とする場合、高反射率を得るにはドットパターン２９の直径を大きく（同図（ａ）参照）、中反射率では直径を中程度に（同図（ｂ）参照）、低反射率では直径を最も小さくする（同図（ｃ）参照）。あるいは、各ドットパターン２９の隣接間距離を、高反射率では小さく、中反射率では中程度に、低反射率では最も大きくすることにより設定することができる。
【００３０】
このようにすれば、上記の実施の形態の場合よりもさらに均一な発光面が得られ、特に大型の自動販売機に照明器具２０を適用する場合でも個々の商品見本６をより一層均一に照明することが可能となり、視認性を高めることができる。
【図面の簡単な説明】
【００３１】
【図１】本発明の実施の形態における自動販売機用照明器具が適用された自動販売機の正面図である。
【図２】同自動販売機の照明器具の部分を拡大して示す正面図である。
【図３】図２のＡ−Ａ線に沿った断面図である。
【図４】本発明の自動販売機用照明器具の変形例を示す断面図である。
【図５】同照明器具の反射シートの一部を拡大して示す平面図である。
【符号の説明】
【００３２】
１    自動販売機
６    商品見本
２０    自動販売機用照明器具
２１    光源
２２    拡散パネル
２３    反射シート
２４    反射部材
【図１】
2009282725.tif 000003
【図２】
2009282725.tif 000004
【図３】
2009282725.tif 000005
【図４】
2009282725.tif 000006
【図５】
2009282725.tif 000007